(57)【要約】【課題】尿臭を含む臭気を抑制する効果に優れる衣料用臭気抑制剤組成物、及び尿臭を有する衣料の臭気抑制方法を提供する。【解決手段】［１］特定の構造を有する（ａ）非イオン界面活性剤、（ｂ）アニオン界面活性剤、（ｃ）脂肪酸又はその塩、（ｄ）環状カルボニル化合物、及び（ｅ）プロテアーゼ、アミラーゼ及びセルラーゼから選ばれる１種以上の酵素を含有する衣料用臭気抑制剤組成物であって、（ａ）成分と（ｂ）成分の合計含有量が１０〜７０質量％、[（ａ）／（ｂ）]の質量比が０．２〜８、（ｄ）成分の含有量が０．０２〜０．２質量％である衣料用臭気抑制剤組成物、及び［２］前記臭気抑制剤組成物と水からなり、該臭気抑制剤組成物の濃度が３００〜６０００ｍｇ／ｋｇ、温度が０〜３５℃である処理液と、尿臭を有する衣料とを、浴比［処理液の量／衣料の質量］が３〜５０Ｌ／ｋｇの条件下で２〜１２０分間接触させる、尿臭を有する衣料の臭気抑制方法である。【選択図】なし【特許請求の範囲】
【請求項１】
下記（ａ）非イオン界面活性剤、（ｂ）アニオン界面活性剤、（ｃ）脂肪酸又はその塩、（ｄ）環状カルボニル化合物、及び（ｅ）酵素を含有する衣料用臭気抑制剤組成物であって、
（ａ）成分と（ｂ）成分の合計含有量が、１０質量％以上、７０質量％以下であり、
[（ａ）成分／（ｂ）成分]の質量比が、０．２以上、８以下であり、
（ｄ）成分の含有量が０．０２質量％以上、０．２質量％以下である、衣料用臭気抑制剤組成物。
（ａ）成分：下記一般式（１）で表される非イオン界面活性剤
Ｒ1−（Ｃ＝Ｏ）xＯ−（Ａ1Ｏ）n1−Ｒ2      （１）
〔式中、Ｒ1は炭素数１０以上、１８以下の炭化水素基を示し、Ｒ2は炭素数１以上、３以下のアルキル基又は水素原子を示し、Ａ1Ｏはエチレンオキシ基及びプロピレンオキシ基から選ばれる１種以上の基を示し、ｎ１は平均付加モル数を示し、３以上、１５以下の数であり、ｘは０又は１の数である。〕
（ｂ）成分：下記（ｂ１）〜（ｂ３）成分から選ばれる１種以上のアニオン界面活性剤
（ｂ１）成分：炭素数１０以上、１４以下のアルキル基を有するアルキルベンゼンスルホン酸塩
（ｂ２）成分：下記一般式（２）で表される硫酸エステル塩
Ｒ3Ｏ−（Ａ2Ｏ）n2−ＳＯ3Ｍ      （２）
〔式中、Ｒ3は炭素数１０以上、１８以下の炭化水素基を示し、Ａ2Ｏはエチレンオキシ基及びプロピレンオキシ基から選ばれる１種以上の基を示し、ｎ２は平均付モル数を示し、０以上、５以下の数であり、Ｍは陽イオンである。〕
（ｂ３）成分：α−スルホ脂肪酸メチルエステル塩
（ｃ）成分：炭素数１２以上、１８以下の脂肪酸又はその塩
（ｄ）成分：下記（ｄ１）〜（ｄ３）成分から選ばれる１種以上の環状カルボニル化合物
（ｄ１）：下記一般式（４）で表される化合物
【化１】
2015224273.tif 000011
〔式中、ａは９以上、１３以下の整数を示し、ｐは０以上、２以下の整数を示し、破線部に一つの二重結合を含む。〕
（ｄ２）下記一般式（５）で表される化合物
【化２】
2015224273.tif 000012
〔式中、ｂは９以上、１３以下の整数を示し、ｑは０以上、３以下の整数を示し、破線部に一つの二重結合を含む。ただし、ｂ＋ｑ＝９以上、１４以下である。〕
（ｄ３）下記一般式（６）で表される化合物
【化３】
2015224273.tif 000013
〔式中、Ｒ4は水素原子又は炭素数１以上、３以下のアルキル基を示し、ｃは６以上、１１以下の整数を示し、ｄは２以上、６以下の整数を示す。ただし、ｃ＋ｄ＝１０以上、１４以下である。〕
（ｅ）成分：プロテアーゼ、アミラーゼ及びセルラーゼから選ばれる１種以上の酵素
【請求項２】
（ｃ）成分が不飽和脂肪酸を含む脂肪酸である、請求項１に記載の衣料用臭気抑制剤組成物。
【請求項３】
更に（ｆ）炭素数２以上、６以下のアルカノールアミン及びアルカリ金属炭酸塩から選ばれる１種以上のアルカリ剤を含有する、請求項１又は２に記載の衣料用臭気抑制剤組成物。
【請求項４】
更に（ｇ）蛍光増白剤を含有する、請求項１〜３のいずれかに記載の衣料用臭気抑制剤組成物。
【請求項５】
（ｅ）成分の含有量が、０．１質量％以上、２質量％以下である、請求項１〜４のいずれかに記載の衣料用臭気抑制剤組成物。
【請求項６】
請求項１〜５のいずれかに記載の衣料用臭気抑制剤組成物と水からなり、該臭気抑制剤組成物の濃度が３００ｍｇ／ｋｇ以上、６０００ｍｇ／ｋｇ以下であり、温度が０℃以上、４５℃以下である処理液と、尿臭を有する衣料とを、浴比［処理液の量／衣料の質量］が３Ｌ／ｋｇ以上、５０Ｌ／ｋｇ以下の条件下で、２分間以上、１２０分間以下接触させる、尿臭を有する衣料の臭気抑制方法。
【発明の詳細な説明】
【技術分野】
【０００１】
本発明は、衣料用臭気抑制剤組成物、及び尿臭を有する衣料の臭気抑制方法に関する。
【背景技術】
【０００２】
近年、消費者の衛生志向の高まりから、見た目の汚ればかりでなく汚れの存在を想起させる臭気についても、その除去が強く望まれている。その中で尿臭はヒトに与える生活環境悪臭の中でも特に問題視されている。
また一方、高齢化により介護対象者の数が増加している。介護に係る課題として、尿が下着等の衣料に付着すると、衣料から尿臭が発散することが挙げられる。また、介護対象者は皮脂や体臭の臭いも強いことが知られている。
尿臭、汗臭を抑制する組成物は種々提案されている。
例えば、特許文献１には、β−グルクロニダーゼ阻害剤を含有する尿臭生成抑制用組成物が開示されている。
特許文献２には、（ａ）特定のβ−グルクロニダーゼ阻害剤と、（ｂ）界面活性剤及び溶剤から選ばれる１種以上とを含有する汗臭発生抑制剤組成物が開示されている。
【先行技術文献】
【特許文献】
【０００３】
【特許文献１】国際公開第２００９／０３７８６１号
【特許文献２】特開２０１０−１１０５４９号公報
【発明の概要】
【発明が解決しようとする課題】
【０００４】
しかしながら、特許文献１及び２には本発明の衣料から発生する尿臭を含む臭気を効果的に除去する課題は記載されていない。
本発明は、尿臭を含む臭気を抑制する効果に優れる衣料用臭気抑制剤組成物、及び尿臭を有する衣料の臭気抑制方法を提供することを課題とする。
【課題を解決するための手段】
【０００５】
本発明者らは、尿臭を含む臭気を抑制する化合物と、特定の界面活性剤、脂肪酸、及び酵素を組み合わせることにより、前記課題を解決しうることを見出した。
すなわち、本発明は、次の［１］及び［２］を提供する。
［１］下記（ａ）非イオン界面活性剤、（ｂ）アニオン界面活性剤、（ｃ）脂肪酸又はその塩、（ｄ）環状カルボニル化合物、及び（ｅ）酵素を含有する衣料用臭気抑制剤組成物であって、
（ａ）成分と（ｂ）成分の合計含有量が、１０質量％以上、７０質量％以下であり、
[（ａ）成分／（ｂ）成分]の質量比が、０．２以上、８以下であり、
（ｅ）成分の含有量が、０．１質量％以上、２質量％以下であり、
（ｄ）成分の含有量が０．０２質量％以上、０．２質量％以下である、衣料用臭気抑制剤組成物を提供する。
（ａ）成分：下記一般式（１）で表される非イオン界面活性剤
Ｒ1−（Ｃ＝Ｏ）xＯ−（Ａ1Ｏ）n1−Ｒ2      （１）
〔式中、Ｒ1は炭素数１０以上、１８以下の炭化水素基を示し、Ｒ2は炭素数１以上、３以下のアルキル基又は水素原子を示し、Ａ1Ｏはエチレンオキシ基及びプロピレンオキシ基から選ばれる１種以上の基を示し、ｎ１は平均付加モル数を示し、３以上、１５以下の数であり、ｘは０又は１の数である。〕
（ｂ）成分：下記（ｂ１）〜（ｂ３）成分から選ばれる１種以上のアニオン界面活性剤
（ｂ１）成分：炭素数１０以上、１４以下のアルキル基を有するアルキルベンゼンスルホン酸塩
（ｂ２）成分：下記一般式（２）で表される硫酸エステル塩
Ｒ3Ｏ−（Ａ2Ｏ）n2−ＳＯ3Ｍ      （２）
〔式中、Ｒ3は炭素数１０以上、１８以下の炭化水素基を示し、Ａ2Ｏはエチレンオキシ基及びプロピレンオキシ基から選ばれる１種以上の基を示し、ｎ２は平均付モル数を示し、０以上、５以下の数であり、Ｍは陽イオンである。〕
（ｂ３）成分：α−スルホ脂肪酸メチルエステル塩
（ｃ）成分：炭素数１２以上、１８以下の脂肪酸又はその塩
（ｄ）成分：下記（ｄ１）〜（ｄ３）成分から選ばれる１種以上の環状カルボニル化合物
（ｄ１）：下記一般式（４）で表される化合物
【０００６】
【化１】
2015224273.tif 000002
〔式中、ａは９以上、１３以下の整数を示し、ｐは０以上、２以下の整数を示し、破線部に一つの二重結合を含む。〕
（ｄ２）下記一般式（５）で表される化合物
【０００７】
【化２】
2015224273.tif 000003
〔式中、ｂは９以上、１３以下の整数を示し、ｑは０以上、３以下の整数を示し、破線部に一つの二重結合を含む。ただし、ｂ＋ｑ＝９以上、１４以下である。〕
（ｄ３）下記一般式（６）で表される化合物
【０００８】
【化３】
2015224273.tif 000004
〔式中、Ｒ4は水素原子又は炭素数１以上、３以下のアルキル基を示し、ｃは６以上、１１以下の整数を示し、ｄは２以上、６以下の整数を示す。ただし、ｃ＋ｄ＝１０以上、１４以下である。〕
（ｅ）成分：プロテアーゼ、アミラーゼ及びセルラーゼから選ばれる１種以上の酵素
【０００９】
［２］前記［１］に記載の衣料用臭気抑制剤組成物と水からなり、該臭気抑制剤組成物の濃度が３００ｍｇ／ｋｇ以上、６０００ｍｇ／ｋｇ以下であり、温度が０℃以上、４５℃以下である処理液と、尿臭を有する衣料とを、浴比［処理液の量／衣料の質量］が３Ｌ／ｋｇ以上、５０Ｌ／ｋｇ以下の条件下で、２分間以上、１２０分間以下接触させる、尿臭を有する衣料の臭気抑制方法。
【発明の効果】
【００１０】
本発明によれば、尿臭を有する衣料の臭気を抑制ないし臭気の強さを低減できる衣料用臭気抑制剤組成物、及び尿臭を有する衣料の臭気抑制方法を提供することができる。
【発明を実施するための形態】
【００１１】
［衣料用臭気抑制剤組成物］
本発明の衣料用臭気抑制剤組成物は、前記の特定の（ａ）非イオン界面活性剤、（ｂ）アニオン界面活性剤、（ｃ）脂肪酸又はその塩、（ｄ）環状カルボニル化合物、及び（ｅ）酵素を、特定割合で含有することを特徴とする。
本発明の衣料用臭気抑制剤組成物は、尿臭を有する衣料の臭気を抑制ないし臭気の強さを低減することができる。その理由は必ずしも明らかではないが、以下のように考えられる。
尿自体は、通常不快な臭いを発するものでないが、微生物の作用によって不快臭を発するようになる。この不快臭としては、一般的に汗臭の原因と考えられているアンモニアや脂肪酸よりも、尿から発生するフェノール系化合物やインドール類の方が、尿臭を特徴付けるより主要な成分であることが分かってきた。フェノール系化合物やインドール類は、菌体由来のβ-グルクロニダーゼが尿に作用することによって顕著に増加するが、本発明の臭気抑制剤組成物においては、優れたβ−グルクロニダーゼ阻害効果を有する化合物として特定の（ｄ）環状カルボニル化合物を用い、特定の界面活性剤、脂肪酸、及び酵素を組み合わせることにより、それらの成分が有機的に作用すると考えられる。その結果、効果的に尿臭を含む臭気を抑制ないし臭気の強さを低減することができると考えられる。
本発明において、「尿臭」とは、尿の乾燥や腐敗に伴って徐々に強くなっていく悪臭をいい、「尿臭を含む臭気」は、尿臭のみの臭い、及び尿臭と共に汗臭、皮脂臭、体臭等を含む臭いを意味する。また、「臭気抑制剤組成物」とは、尿臭を含む臭気抑制ないし低減する臭気抑制剤としての組成物であってもよいが、尿臭を含む臭気の抑制ないし低減と共に、衣料に付着した汚れを洗浄できる組成物であってもよい。
【００１２】
＜（ａ）非イオン界面活性剤＞
本発明で用いられる（ａ）非イオン界面活性剤は、下記一般式（１）で表される。
Ｒ1−（Ｃ＝Ｏ）xＯ−（Ａ1Ｏ）n1−Ｒ2      （１）
〔式中、Ｒ1は炭素数１０以上、１８以下の炭化水素基を示し、Ｒ2は炭素数１以上、３以下のアルキル基又は水素原子を示し、Ａ1Ｏはエチレンオキシ基及びプロピレンオキシ基から選ばれる１種以上の基を示し、ｎ１は平均付加モル数を示し、３以上、１５以下の数であり、ｘは０又は１の数である。〕
【００１３】
尿臭の主要な成分である、フェノール基を有する化合物の代表であるクレゾールや、インドール基を有する化合物の代表であるスカトールは、常温（２５℃）では結晶の化合物である。そのために、衣料上で生成した上記化合物は、衣料に強固に付着し除去しにくいという問題があったが、本発明の（ａ）非イオン界面活性剤は衣料に付着したフェノール基を有する化合物やインドール基を有する化合物を、衣料から除去しやすくする働きを有すると考えられる。
また、尿が付着しやすい下着には尿以外にも皮脂汚れが付着していることが多く、尿が皮脂汚れと混ざることで、本発明の（ｄ）環状カルボニル化合物が尿に届きにくいという問題があった。更には、衣料から発生する尿臭と皮脂臭を含む臭いが強く感じられるという問題があった。本発明の（ａ）非イオン界面活性剤は、皮脂汚れに浸透し（ｄ）環状カルボニル化合物が尿に届きやすいように皮脂汚れを改質する結果、（ｄ）環状カルボニル化合物の効果を高める作用を有すると考えられる。また、衣料上で尿から発生した上記化合物が付着した皮脂汚れを衣料から除去しやすくすることで、尿臭と皮脂臭を含む臭いの臭気低減効果が発現すると考えられる。
【００１４】
一般式（１）中、Ｒ1である炭化水素基としては、尿臭と皮脂臭を含む臭いの臭気抑制効果の観点から、アルキル基、アルケニル基が好ましく、アルキル基がより好ましい。Ｒ1の炭素数は、尿臭と皮脂臭を含む臭いの臭気抑制効果の観点から、１０以上が好ましく、１１以上がより好ましく、そして、１７以下が好ましく、１６以下がより好ましい。
ｘは、尿臭を含む匂いの臭気抑制効果の観点から、０が好ましい。
Ｒ2は、製造の容易性の観点から、メチル基又は水素原子が好ましく、水素原子がより好ましい。
Ａ1Ｏ基の平均付加モル数ｎ１は、皮脂が付着した衣料に更に尿が付着し、尿臭と皮脂臭を含む臭いの臭気抑制効果の観点から、４以上が好ましく、５以上が更に好ましく、６以上が特に好ましく、そして１４以下が好ましく、１２以下が更に好ましい。
一般式（１）に含まれるＡ1Ｏ基はエチレンオキシ基のみでもよく、プロピレンオキシ基のみでもよい。また、（エチレンオキシ基の平均の数／プロピレンオキシ基の平均の数）の比は、好ましくは１／９以上であり、そして、好ましくは９／１である。
一般式（１）で表される化合物の製造方法は特に限定されない。例えば、炭素数１０以上、１８以下の炭化水素基を有するアルコールに、エチレンオキシ基及びプロピレンオキシ基から選ばれる１種以上の基を付加反応することによって得ることができる。
なお、Ａ1Ｏであるプロピレンオキシ基とは、プロパン−１，２−ジイルオキシ基又はトリメチレンオキシ基を意味し、プロパン−１，２−ジイルオキシ基がより好ましい。また、複数のプロピレンオキシ基は、その全てがプロパン−１，２−ジイルオキシ基又はトリメチレンオキシ基であってもよく、その両者がランダム結合又はブロック結合していてもよい。
【００１５】
＜（ｂ）アニオン界面活性剤＞
本発明で用いられる（ｂ）アニオン界面活性剤は、下記（ｂ１）〜（ｂ３）成分から選ばれる１種以上である。（ｂ）アニオン界面活性剤は、前記（ａ）非イオン界面活性剤と特定比率で用いることで、皮脂汚れが付着した衣料に尿が更に付着した衣料の臭気抑制効果を向上させることができる。
（ｂ１）成分：炭素数１０以上、１４以下のアルキル基を有するアルキルベンゼンスルホン酸塩
（ｂ２）成分：下記一般式（２）で表される硫酸エステル塩
Ｒ3Ｏ−（Ａ2Ｏ）n2−ＳＯ3Ｍ      （２）
〔式中、Ｒ3は炭素数１０以上、１８以下の炭化水素基を示し、Ａ2Ｏはエチレンオキシ基及びプロピレンオキシ基から選ばれる１種以上の基を示し、ｎ２は平均付モル数を示し、０以上、５以下の数であり、Ｍは陽イオンである。〕
（ｂ３）成分：α−スルホ脂肪酸アルキルエステル塩
【００１６】
〔（ｂ１）アルキルベンゼンスルホン酸塩〕
（ｂ１）アルキルベンゼンスルホン酸塩は、炭素数１０以上、１４以下のアルキル基を有するものであればよく、その他は特に限定されない。
アルキル基としては、尿臭と皮脂臭を含む臭いの臭気抑制効果の観点から、直鎖アルキル基及び分岐アルキル基から選ばれる１種以上の基が好ましく、その炭素数は、好ましくは１１以上、より好ましくは１２以上、そして、１８以下、好ましくは１６以下である。
アルキルベンゼンスルホン酸塩としては、入手性の観点から、ナトリウム、カリウム等のアルカリ金属塩、アルカノールアミン塩等が好ましく、ナトリウム塩がより好ましい。
本発明の臭気抑制剤組成物を調製する場合、アルキルベンゼンスルホン酸（酸型）を組成物中に添加し、粉体成分の混合系内でアルカリと中和反応させアルキルベンゼンスルホン酸塩としてもよいし、予め中和した後、組成物中に添加してもよい。
アルキルベンゼンスルホン酸の中和には、水酸化ナトリウム、水酸化カリウム、水酸化リチウム、水酸化アンモニウム等の塩基を用いることができる。
【００１７】
〔（ｂ２）硫酸エステル塩〕
本発明で用いられる（ｂ２）硫酸エステル塩は、下記一般式（２）で表される。
Ｒ3Ｏ−（Ａ2Ｏ）n2−ＳＯ3Ｍ      （２）
〔式中、Ｒ3は炭素数１０以上、１８以下の炭化水素基を示し、Ａ2Ｏはエチレンオキシ基及びプロピレンオキシ基から選ばれる１種以上の基を示し、ｎ２は平均付モル数を示し、０以上、５以下の数であり、Ｍは陽イオンである。〕
（ｂ２）硫酸エステル塩は、皮脂と尿が共に付着した衣料に対する（ｄ）環状カルボニル化合物による尿臭と皮脂臭いを含む臭気の抑制効果を向上させることが期待できる点で好ましい。
【００１８】
Ｒ3としては、皮脂が付着した衣料に更に尿が付着した場合の尿臭と皮脂臭いを含む臭いの臭気抑制効果の観点から、アルキル基が好ましく、直鎖１級アルキル基がより好ましく、その炭素数は１２以上、１６いかがより好ましい。
一般式（２）中のＡ2Ｏ基はエチレンオキシ基及びプロピレンオキシ基から選ばれる１種以上の基である。Ａ2Ｏ基はエチレンオキシ基のみでもよく、プロピレンオキシ基のみでもよい。また（エチレンオキシ基の平均の数／プロピレンオキシ基の平均の数）の比は、好ましくは１／９以上であり、そして、好ましくは９／１以下である。
Ａ2Ｏ基の平均付モル数であるｎ２は、皮脂が付着した衣料に更に尿が付着した場合の尿臭と皮脂臭を含む臭いの臭気抑制効果の観点から、０．５以上が好ましく、１以上が好ましく、１．５以上が好ましく、２以上が好ましく、そして４．５以下が好ましく、３．５以下がより好ましく、３以下がより好ましい。
なお、Ａ2Ｏであるプロピレンオキシ基は、前記と同義であり、プロピレンオキシ基が複数である場合は、その全てがプロパン−１，２−ジイルオキシ基又はトリメチレンオキシ基であってもよく、その両者がランダム結合又はブロック結合していてもよい。
【００１９】
一般式（２）におけるＭは、陽イオンである。Ｍの好適例としては、水素イオン、アルカリ金属イオン、アルカリ土類金属イオン、アンモニウムイオン、及び炭素数１以上、６以下のアルカノールアンモニウムイオンが挙げられる。
アルカリ金属イオンとしては、ナトリウムイオン、カリウムイオン、リチウムイオンが挙げられ、アルカリ土類金属イオンとしては、マグネシウムイオンが挙げられ、炭素数１以上、６以下のアルカノールアンモニウムイオンとしては、モノエタノールアンモニウムイオン、トリエタノールアンモニウムイオン等が挙げられる。これらの中では、洗浄力の点で、ナトリウムイオン、カリウムイオンのアルカリ金属イオン又はモノエタノールアンモニウムイオンが好ましく、モノエタノールアンモニウムイオンがより好ましい。
【００２０】
〔（ｂ３）α−スルホ脂肪酸メチルエステル塩〕
（ｂ３）α−スルホ脂肪酸メチルエステル塩は、好ましくは下記一般式（３）で表される化合物である。
Ｒ4−ＣＨ（ＳＯ3Ｍ）ＣＯＯＣＨ3      （３）
〔式中、Ｒ4は炭素数１１以上、１９以下の炭化水素基であり、Ｍは陽イオンである。〕
一般式（３）中、Ｒ4である炭化水素基としては、尿臭と皮脂臭を含む臭いの臭気抑制効果の観点から、アルキル基及びアルケニル基から選ばれる１種以上が好ましく、アルキル基がより好ましく、直鎖１級アルキル基がより好ましい。
Ｒ4の炭素数は、尿臭と皮脂臭を含む臭いの臭気抑制効果の観点から、１２以上が好ましく、１３以上がより好ましく、１５以上がより好ましく、そして、１８以下が好ましく、１７以下がより好ましい。
一般式（３）におけるＭは陽イオンである。Ｍの好適例としては、水素イオン、アルカリ金属イオン、アルカリ土類金属イオン、アンモニウムイオン、及び炭素数１以上、６以下のアルカノールアンモニウムイオンが挙げられる。
アルカリ金属イオン、アルカリ土類金属イオンの具体例、好適例は前記と同様である。
【００２１】
＜（ｃ）脂肪酸又はその塩＞
本発明で用いられる（ｃ）脂肪酸又はその塩は、炭素数１２以上、１８以下の脂肪酸又はその塩である。
（ｃ）脂肪酸又はその塩は、水道水中のカルシウムイオンやマグネシウムイオンとイオン対を形成することで、疎水性が高まり、後述する（ｄ）環状カルボニル化合物を衣料に付着しやすくする役割を有することが期待できる。
（ｄ）環状カルボニル化合物を衣料に付着しやすくする観点から、（ｃ）成分は炭素数１４以上、１８以下の脂肪酸を（ｄ）成分中に３０質量％以上含む脂肪酸又はその塩であることが好ましく、より好ましくは４０質量％以上含む脂肪酸又はその塩であることが好ましい。
また、（ｄ）成分を衣料に付着しやすくする点で、（ｃ）成分中の、不飽和基を有する（ｃ）成分の含有量が５質量％以上、８０質量％以下である脂肪酸又はその塩であることが好ましい。
塩としては、ナトリウム、カリウム等のアルカリ金属塩、アルカノールアミン塩等を挙げることができる。本発明の組成物を調製する場合、脂肪酸（酸型）とアルカリ剤を組成物中に別々に添加し、アルカリと中和反応させ脂肪酸塩としてもよいし、予め中和した後、組成物中に添加してもよい。脂肪酸の中和には、水酸化ナトリウム、水酸化カリウム、水酸化リチウム、水酸化アンモニウム等の塩基を用いることができる。（ｃ）成分を構成する塩はナトリウム、カリウム等のアルカリ金属塩が好ましく、ナトリウム塩がより好ましい。
【００２２】
＜（ｄ）環状カルボニル化合物＞
（ｄ）環状カルボニル化合物は、下記（ｄ１）〜（ｄ３）成分から選ばれる１種以上の環状カルボニル化合物である。この環状カルボニル化合物は、優れたβ−グルクロニダーゼ阻害効果を有するため、悪臭の原因であるフェノール系化合物やインドール類が尿から生成するのを効果的に抑制することができる。
（ｄ１）下記一般式（４）で表される化合物
【００２３】
【化４】
2015224273.tif 000005
〔式中、ａは９以上、１３以下の整数を示し、ｐは０以上、２以下の整数を示し、破線部に一つの二重結合を含む。〕
【００２４】
一般式（４）において、尿臭を含む臭いの低減の観点から、ｐは０又は１、即ち、置換基ＣpＨ2p+1は水素原子又はメチル基が好ましく、（ａ＋ｐ）は９以上、１３以下であることが好ましく、ａは１１又は１２であることが好ましい。
（ｄ１）化合物の具体例としては、３−メチル−４（５）−シクロペンタデセン-1-オン（Firmenich社製品名；ムセノンデルタ）、３−メチルシクロペンタデカノン（Firmenich社製品名；ムスコン）、４−シクロペンタデセン−１−オン（Firmenich社製品名；エギザルテノン、ＩＦＦ社製品名：ムスクＺ−４）、５−シクロヘキサデセン−１−オン（曽田香料（株）製品名；ムスクＴＭ２）、８−シクロヘキサデセン−１−オン（Symrise社製品名；グロバノン）、９−シクロヘプタデセン−１−オン（Firmenich社製品名；シベトン）、シクロペンタデカノン（Firmenich社製品名；エグザルトン）等が挙げられる。
（ｄ１）化合物の中では、環状構造内に二重結合を一つ含むものが好ましく、３−メチル−４（５）−シクロペンタデセン−１−オン、４−シクロペンタデセン−１−オン、５−シクロヘキサデセン−１−オン、８−シクロヘキサデセン−１−オン、及び９−シクロヘプタデセン−１−オンから選ばれる１種以上がより好ましい。また、この二重結合が、ケトンのカルボニル基から最も離れた位置の炭素−炭素結合、又はこれに隣接する炭素−炭素結合に存在することが好ましく、８−シクロヘキサデセン−１−オン及び９−シクロヘプタデセン−１−オンから選ばれる１種以上がより好ましく、８−シクロヘキサデセン−１−オンが更に好ましい。
【００２５】
（ｄ２）下記一般式（５）で表される化合物
【００２６】
【化５】
2015224273.tif 000006
〔式中、ｂは９以上、１３以下の整数を示し、ｑは０以上、３以下の整数を示し、破線部に一つの二重結合を含む。ただし、ｂ＋ｑ＝９以上、１４以下である。〕
【００２７】
一般式（５）において、尿臭を含む臭いの低減の観点から、ｑは０、即ち、置換基ＣqＨ2q+1は水素原子が好ましく、（ｂ＋ｑ）は１０〜１２であるものが好ましい。
（ｄ２）化合物としては、４（５）−シクロペンタデセノリド（Firmenich社製品名：ハバノライド）、７−シクロヘキサデセノリド（アンブレットライド）等から選ばれる１種以上が好ましく、一般式（５）におけるｂは１２であるものが好ましく、特に７−シクロヘキサデセノリドが好ましい。
【００２８】
（ｄ３）下記一般式（６）で表される化合物
【００２９】
【化６】
2015224273.tif 000007
〔式中、Ｒ4は水素原子又は炭素数１以上、３以下のアルキル基を示し、ｃは６以上、１１以下の整数を示し、ｄは２以上、６以下の整数を示す。ただし、ｃ＋ｄ＝１０以上、１４以下である。〕
【００３０】
一般式（６）において、尿臭を含む臭いの低減の観点から、Ｒ4は水素原子が好ましく、（ｃ＋ｄ）は１３であるものが好ましい。
（ｄ３）化合物としては、１０−オキサ−１６−ヘキサデカノリド（高砂香料工業（株）製品名；オキサライド）、１１−オキサ−１６−ヘキサデカノリド（Givaudan社製品名；ムスクＲ１）、１２−オキサ−１６−ヘキサデカノリド（Givaudan社製品名：セルボライド）等から選ばれる１種以上が好ましく、特に１０−オキサ−１６−ヘキサデカノリドが好ましい。
【００３１】
＜（ｅ）酵素＞
（ｅ）成分は、（ｅ１）プロテアーゼ、（ｅ２）アミラーゼ、及び（ｅ３）セルラーゼから選ばれる１種以上の酵素である。皮脂が付着した更に尿が付着した衣料から発生する、皮脂臭と尿臭の臭気抑制効果の観点から、（ｅ１）プロテアーゼを含む酵素を用いることが好ましい。より尿臭の臭気抑制効果を高める観点から、（ｅ１）プロテアーゼ並びに、（ｅ２）アミラーゼ、及び（ｅ３）セルラーゼから選ばれる１種以上の酵素を含む複数の酵素を用いることが好ましい。（ｅ１）プロテアーゼを含む複数の酵素を使用する場合には、酵素全量中の（ｅ１）プロテアーゼの含有量は４０質量％以上が好ましく、５０質量％以上がより好ましい。
【００３２】
（ｅ１）プロテアーゼ
プロテアーゼとしては、中性又はアルカリ性の水溶液中で作用できるプロテアーゼが挙げられる。
好ましいプロテアーゼの具体例としては、国際公開第９９／０１８２１８号に記載されているアルカリプロテアーゼであって、好ましくは配列番号１又は２で示されるアミノ酸配列の７０％以上が保存されているもの、特開平５−２５４９２に記載されているアルカリプロテアーゼであって、好ましくはアルカリプロテアーゼＫ−１６又はアルカリプロテアーゼＫ−１４等が挙げられる。その他に、ノボザイムズ社製のサビナーゼ（登録商標）、カンナーゼ（登録商標）、エバラーゼ（登録商標）、アルカラーゼ（登録商標）、ポラーザイム（登録商標）、エスペラーゼ（登録商標）の商品名で販売されているバチルス属ズブチリシン類が生産するプロテアーゼ、デュポン社製のＦＮ２（登録商標）、ＦＮ３（登録商標）及びＦＮ４（登録商標）、プラフェクト（登録商標）、プラフェクトプライム（登録商標）の商品名で供給されるプロテアーゼ類又はその変異型等が挙げられる。
これらの中でも、国際公開第９９／０１８２１８号に記載されている配列番号１、又は２で示されるアミノ酸配列の８０％以上が保存されている酵素、ノボザイムズ社製のサビナーゼ、エバラーゼ、アルカラーゼ、デュポン社製のプラフェクト、プラフェクトプライムがより好ましい。
【００３３】
（ｅ２）アミラーゼ
アミラーゼの具体例としては、バチルス ズブチリス マーバーグ（Bacillus subtilis Marburg）、バチルス ズブチリス ナットウ（Bacillus subtilis natto）、バチルス アミロリケファシエンス（Bacillus amyloliquefaciens）、バチルス リケニフォルミス（Bacillus licheniformis）、バチルス セレウス（Bacillus cereus）、バチルス マセランス（Bacillus macerans）、シュードモナス シュツッツェリ（Pseudomonas stutzeri）、クレブシェラ アエリゲネス（Klebusiella aerogenes）等の細菌、ストレプトマイセス グリセウス（Streptomyces griseus）等の放線菌、アスペルギウス オリザエ（Aspergillus oryzae）、アスペルギルス ニガー（Aspergillus niger）等のカビ類、イネ科及びマメ科植物の種子、ヒト及びブタ等の動物の消化腺等多くの生物から得られているものを使用することができる。
本発明に用いるアミラーゼは、前記微生物又はそれらの変異株、又はこれらの酵素若しくはその変異体をコードするＤＮＡ配列を有する組換えベクターで形質転換された宿主細胞等を、同化性の炭素源、窒素源その他の必須栄養素を含む培地に接種し、常法に従い培養し、一般の酵素の採取及び精製方法に準じて得ることができる。このようにして得られる酵素液はそのまま用いることもできるが、さらに公知の方法により精製、結晶化、粉末製剤化又は液体製剤化したものを用いることができる。
本発明に用いるアミラーゼは、α−アミラーゼが好ましく、使用できる市販の酵素としては、商標名ラピダーゼ（ギスト ブロカーズ社製）、商標名ターマミル、デュラミル及びステインザイム（ノボザイムズジャパン（株）製）、商標名プラスターＳＴ及びプラスターＯｘＡｍ（ジェネンコア・インターナショナル社製）を挙げることができる。
【００３４】
（ｅ３）セルラーゼ
セルラーゼとしては、バチルス属のエンド−β−１，４グルカナーゼ活性（Ｅ．Ｃ．３．２．１．４）を示す微生物由来のエンドグルカナーゼを含み得る。市販品のセルザイム、ケアザイム、セルクリーン（ノボザイムズ社製）；PuradaxHA1200E（ジェネンコア社製）；アルカリセルラーゼＫＡＣ５００（花王（株）製）；アルカリセルラーゼＫ、アルカリセルラーゼＫ−３４４、アルカリセルラーゼＫ−５３４、アルカリセルラーゼＫ−５３９、アルカリセルラーゼＫ−５７７、アルカリセルラーゼＫ−４２５、アルカリセルラーゼＫ−５２１、アルカリセルラーゼＫ−５８０、アルカリセルラーゼＫ−５８８、アルカリセルラーゼＫ−５９７、アルカリセルラーゼＫ−５２２、ＣＭＣアーゼＩ、ＣＭＣアーゼＩＩ、アルカリセルラーゼＥ−II、及びアルカリセルラーゼＥ−III等が挙げられる。
【００３５】
＜（ｆ）アルカリ剤＞
本発明の臭気抑制剤組成物においては、更に（ｆ）アルカリ剤を含有させることで、皮脂が付着した衣料に尿が付着した衣料から発生する、尿臭と皮脂臭を含む臭いの臭気抑制効果を向上させることができるため好ましい。
（ｆ）アルカリ剤としては、炭素数２以上、６以下のアルカノールアミン及びアルカリ金属炭酸塩から選ばれる１種以上が好ましい。
炭素数２以上、６以下のアルカノールアミンとしては、モノエタノールアミン、ジエタノールアミン、トリエタノールアミン、Ｎ−メチルモノエタノールアミン及びＮ−メチルジエタノールアミンから選ばれる１種以上の化合物が挙げられる。
アルカリ金属炭酸塩としては、炭酸ナトリウム及び炭酸カリウムから選ばれる１種以上が挙げられる。より好ましい（ｆ）アルカリ剤としては、炭酸ナトリウム、モノエタノールアミン、Ｎ−メチルエタノールアミン及びトリエタノールアミンから選ばれる１種以上が挙げられる。
【００３６】
＜（ｇ）蛍光増白剤＞
本発明の臭気抑制剤組成物においては、更に（ｇ）蛍光増白剤を含有させることで、尿臭を含む臭いの臭気抑制効果を消費者に、より実感させることができる。
（ｇ）蛍光増白剤としては、スルホン酸基又はその塩を有する蛍光増白剤が好ましく、ビフェニル型蛍光増白剤及び／又はスチルベン型蛍光増白剤がより好ましい。
ビフェニル型蛍光増白剤としては、４，４'−ビス（２−スルホスチリル）ビフェニルジアルカリ金属塩（好ましくはナトリウム）、４，４'−ビス（２−スルホ−４クロロスチリル）ビフェニルジアルカリ金属塩（好ましくはナトリウム）等が挙げられるが、特に４，４'−ビス（２−スルホスチリル）ビフェニルジナトリウムが増白効果の点で好ましい。
スチルベン型蛍光増白剤としては、４，４'−ビス（４−アニリノ−６−モルホリノ−１，３，５−トリアジン−２−イルアミノ）スチルベン−２、２'−ジスルホン酸ジナトリウムまたは、４，４'−ビス（４−トルイジノ−６−モルホリノ−１，３，５−トリアジン−２−イルアミノ）スチルベン−２，２'−ジスルホン酸ジナトリウム等が挙げられる。
【００３７】
＜その他の任意成分＞
本発明の臭気抑制剤組成物は、任意成分として香料（（ｄ）環状カルボニル化合物を除く）、植物精油、植物抽出液、キレート剤、再汚染防止ポリマー、過炭酸ナトリウム等の漂白剤、粘土鉱物、ゼオライト、硫酸ナトリウム、水等の任意成分を含有することができる。香料、植物精油、植物抽出液としては、尿臭や皮脂臭のマスキング効果が高い香料化合物を用いることができる。
【００３８】
＜衣料用臭気抑制剤組成物の配合組成＞
本発明の衣料用臭気抑制剤組成物は、前記（ａ）〜（ｅ）成分を含有し、必要に応じて更に（ｆ）、（ｇ）成分を含有する。
本発明の液体組成物中の含有量に関し、（ｂ）アニオン界面活性剤、（ｃ）脂肪酸又はその塩に関しては、塩を形成する対イオン「Ｍ」の種類が変わると分子量が変わり含有量がことなるため、対イオン「Ｍ」をＨ（酸型）に置き換えた状態の含有量を表す。
本発明の液体組成物中の（ａ）成分と（ｂ）成分の合計の含有量は、尿臭を含む臭いの臭気抑制効果、とりわけ皮脂が付着した衣料に更に尿臭が付着した衣料から発生する、皮脂臭と尿臭を含む臭いの臭気抑制効果の点から、臭気抑制剤組成物中に、１５質量％以上が好ましく、２０質量％以上が好ましく、３０質量％以上がより好ましい。経済性の点から６０質量％以下が好ましく、５０質量％以下がより好ましい。
【００３９】
液体組成物中の（ａ）非イオン界面活性剤と（ｂ）アニオン界面活性剤の含有量の比は、尿臭を含む臭いの低減の観点から、[（ａ）成分／（ｂ）成分]の質量比は０．２以上、８以下が好ましい。皮脂が付着した衣料に更に尿が付着した衣料から発生する、尿臭と皮脂臭を含む臭いの臭気抑制効果を更に高める観点から、[（ａ）成分／（ｂ）成分]の質量比は、０．２５以上が好ましく、０．３以上がより好ましい。尿臭の低減の点で、７以下が好ましく、６以下がより好ましく、５以下がより好ましく、４以下がより好ましい。
（ｃ）脂肪酸又はその塩の含有量は、（ｄ）環状カルボニル化合物の衣料への付着性を更に高める観点から、臭気抑制剤組成物中に、０．３質量％以上が好ましく、０．４質量％以上がより好ましく、０．５質量％以上がより好ましく、そして、１０質量％以下が好ましく、８質量％以下がより好ましく、６質量％以下がより好ましく、５質量％以下がより好ましい。
【００４０】
（ｄ）環状カルボニル化合物の含有量は、尿臭を含む臭いの臭気抑制効果の観点から、０．０２質量％以上であり、０．０２５質量％以上がより好ましく、０．０３質量％以上がより好ましく、０．０３５質量％以上がより好ましく、０．０４質量％以上がより好ましい。臭気抑制剤組成物の香りの嗜好性の点から、臭気抑制剤組成物中に０．２質量％以下であり、０．１５質量％以下が好ましく、０．１質量％以下がより好ましい。
（ｅ）酵素の含有量は、尿臭を含む臭いの臭気抑制効果の観点から、臭気抑制剤組成物中に０．１質量％以上であり、０．２質量％以上が好ましく、０．３質量％以上がより好ましく、経済性の点で１．８質量％以下が好ましく、１．５質量％以下がより好ましい。
臭気抑制剤組成物中の（ｅ）酵素の含有量は、酵素タンパク量として算出された値を用いる。酵素タンパク量は、ローリーらの方法（Lowry, O.H.et. al., J. Biol. Chem., 193, 265 (1951)）に準じ、牛血清アルブミン（Bovine Serum  Albumin、ＳＩＧＭＡ社製、製品番号Ａ−７０３０）に換算して表わしたものとする。
【００４１】
（ｆ）アルカリ剤が炭素数２以上、６以下のアルカノールアミンである場合には、該アルカノールアミンの含有量は、尿臭を含む臭いの臭気抑制効果の観点から、臭気抑制剤組成物中に０．１質量％以上が好ましく、０．２質量％以上がより好ましく、０．３質量％以上がより好ましく、そして経済性の観点から、７質量％以下が好ましく、５質量％以下がより好ましい。
（ｆ）アルカリ剤がアルカリ金属炭酸塩である場合には、該アルカリ金属炭酸塩の含有量は、尿臭を含む臭いの臭気抑制効果の観点から、臭気抑制剤組成物中に１０質量％以上である。皮脂が付着した衣料に更に尿が付着した衣料から発生する、尿臭と皮脂臭を含む臭いの臭気抑制効果の観点から、１２質量％以上が好ましく、１５質量％以上がより好ましく、経済性の点から、５０質量％以下が好ましく、４５質量％以下がより好ましく、４０質量％以下がより好ましい。
（ｇ）蛍光増白剤の含有量は、尿臭を含む臭いの臭気抑制効果を消費者に、より実感させることができる観点から、臭気抑制剤組成物中に０．１質量％以上が好ましく、０．１３質量％以上がより好ましく、０．１６質量％以上がより好ましく、そして経済性の観点から、０．４質量％以下が好ましく、０．３質量％以下がより好ましい。
【００４２】
〔尿臭を有する衣料の臭気抑制方法〕
本発明の尿臭を有する衣料の臭気抑制方法は、本発明の衣料用臭気抑制剤組成物と水からなり、該臭気抑制剤組成物の濃度が３００ｍｇ／ｋｇ以上、６０００ｍｇ／ｋｇ以下であり、温度が０℃以上、４５℃以下である処理液と、尿臭を有する衣料とを、浴比［処理液の量／衣料の質量］が３Ｌ／ｋｇ以上、５０Ｌ／ｋｇ以下の条件下で、２分間以上、１２０分間以下接触させる、尿臭を有する衣料の臭気抑制方法である。
尿臭の臭気抑制効果を更に高める観点から、前記処理液中の臭気抑制剤組成物の濃度は、４００ｍｇ／ｋｇ以上が好ましく、５００ｍｇ／ｋｇ以上がより好ましく、経済性の観点から、５０００ｍｇ／ｋｇ以下が好ましく、４０００ｍｇ／ｋｇ以下がより好ましく、３０００ｍｇ／ｋｇ以下がより好ましく、１５００ｍｇ／ｋｇ以下がより好ましく、１０００ｍｇ／ｋｇ以下がより好ましい。
処理液の温度は、乾燥した衣料から発生する尿臭をより低減する観点から、３℃以上が好ましく、５℃以上がより好ましく、脱水布から発生する尿臭の強さを低減する観点から、４３℃以下が好ましく、４０℃以下がより好ましく、３５℃以下が更に好ましく、３０℃以下がより更に好ましく、２０℃以下がより更に好ましく、１５℃以下がより更に好ましい。また、乾燥させた衣料から発生する尿臭と皮脂臭を含む臭いを低減する視点から、３０℃以上が好ましく、３５℃以上がより好ましく、４３℃以下が更に好ましい。
近年、洗濯機が大型化し、衣料の質量に対する処理液の量の比で表される浴比［処理液の量／衣料の質量］が、尿臭の低減効果をより実感できる点で、３０Ｌ／ｋｇ以下が好ましく、２０Ｌ／ｋｇ以下がより好ましく、１５Ｌ／ｋｇ以下が更に好ましく、１０Ｌ／ｋｇ以下がより更に好ましい。また、皮脂が付着した衣料に尿臭が更に付着し、尿臭と皮脂臭を含む衣料の臭気抑制効果の観点から、浴比は５Ｌ／ｋｇ以上が好ましく、７Ｌ／ｋｇ以上がより好ましい。
【００４３】
本発明において、尿臭を有する衣料と臭気抑制剤組成物及び水を含む処理液を接触させる場合には、回転式接触方法が適している。回転式接触方法とは、回転機器に固定されていない衣料が臭気抑制剤組成物及び水を含む処理液と共に、回転軸の周りに回転する接触方法を意味する。回転式接触方法は一般家庭においては回転式洗濯機により実施できる。従って、本発明では、尿臭を有する衣料と臭気抑制剤組成物及び水を含む処理液の接触を、回転式洗濯機を用いて行うことが好ましい。
回転式の洗濯機としては、具体的には、ドラム式全自動洗濯機、パルセータ式全自動洗濯機、又はアジテータ式全自動洗濯機が挙げられる。これらの回転式洗濯機は、それぞれ、家庭用として市販されているものを使用することができる。
尿臭を有する衣料と、本発明の衣料用臭気抑制剤組成物及び水を含む処理液の接触時間は、臭気抑制効果の観点から、３分間以上が好ましく、５分間以上がより好ましく、臭気抑制方法の効率性の観点から、９０分間以下が好ましく、６０分間以下がより好ましく、５０分間以下が更に好ましく、４０分間以下がより更に好ましい。
【実施例】
【００４４】
以下の製造例、実施例及び比較例において、「部」及び「％」は特記しない限り「質量部」及び「質量％」である。
【００４５】
実施例１〜２、比較例１〜２
表１に示す各成分を用意し、３００ｍｌのガラス製ビーカーに、直径６０ｍｍのスターラーピース（テフロン（登録商標）製）を入れ、でき上がり質量が２００ｇ、かつ表１に記載の含有量になるように（ａ）成分、（ｂ）成分、（ｃ）成分、及び必要量の９５質量％の水（次亜塩素酸ナトリウムを３ｍｇ／ｋｇ含有する水）を投入した。投入後、１００回転／分の回転数で２０分間攪拌した。その後、（ｄ）成分、（ｅ）成分を投入し、（ｆ）成分で組成物のｐＨを７に調整し、残分の水を用いて最終でき上がり質量（２００ｇ）になるように調整し、表１の衣料用臭気抑制剤組成物を得た。
表１中の成分の詳細は以下のとおりである。
【００４６】
（ａ）成分：非イオン界面活性剤
（ａ−１）：一般式（１）においてＲ1が炭素数１２の直鎖１級アルキル基であり、ｘが０であり、ｎ１が４であり、Ｒ2がＨである化合物。
（ａ−２）：一般式（１）においてＲ1が炭素数１２の直鎖１級アルキル基であり、ｘが０であり、ｎ１が９であり、Ｒ2がＨである化合物。
（ａ−３）：一般式（１）においてＲ1が炭素数１１〜１３のアルキル基であり、ｘが１であり、ｎ１が１５であり、Ｒ2がメチル基である化合物。
【００４７】
（ｂ）成分：アニオン界面活性剤
（ｂ１−１）：  炭素数１０〜１４のアルキル基を有するアルキルベンゼンスルホン酸ナトリウム
【００４８】
（ｃ）成分：脂肪酸又はその塩
（ｃ−１）：ラウリン酸３５質量％、ミリスチン酸２０質量％、パルミチン酸１０質量％、ステアリン酸１０質量％、オレイン酸２０質量％、及びリノール酸５質量％の組成を有する混合脂肪酸
【００４９】
（ｄ）成分：環状カルボニル化合物
（ｄ１−１）：８−シクロヘキサデセン−１−オン
（ｅ）成分：下記酵素を含む酵素造粒物を使用
（ｅ−１）：エバラーゼ１６．０Ｌ−ＥＸ（商品名）（プロテアーゼ、ノボザイム社製）（ｅ−２）：ステインザイム（商品名）（アミラーゼ、ノボザイム社製）
（ｅ−３）：アルカリセルラーゼ「ＫＡＣ５００」（花王（株）製）
（ｆ）成分：アルカリ剤
（ｆ−１）：モノエタノールアミン
（ｆ−２）：炭酸ナトリウム
（ｇ）成分：蛍光増白剤
（ｇ−１）：４,４'−ビス（２−スルホスチリル）ビフェニルジナトリウム
【００５０】
上記で得られた各組成物を用いて、以下の方法により評価した。結果を表１に示す。
（１）尿臭を有する衣料の調製
一辺が１０ｃｍの正方形に裁断した、綿メリヤス布（５ｇ／１枚あたり、木綿２００３、谷頭商店製）１枚の中心部に、ｐ−クレゾール２５質量％、フェノール５質量％、ｏ−ジヒドロキシベンゼン５質量％、メトキシビニルフェノール５質量％、及びトリメチルアミン６０質量％からなる尿臭によく似た臭気を有するモデル尿組成物０．５ｇを直径が３０ｍｍの円状に塗布した。同様にして合計５枚の試験布を調製し、２５℃、５０％ＲＨ環境下で１２時間放置し乾燥させた。
【００５１】
（２）衣料用臭気抑制剤組成物による処理
表１の実施例１に記載の衣料用臭気抑制剤組成物とドイツ硬度で４°ＤＨの水を混合して処理液を調製した。この処理液は、衣料用臭気抑制剤組成物を６７０ｍｇ／ｋｇを含む。
５００ｍＬの前記処理液を５００ｍＬ容量のステンレスビーカーに入れ、２０℃に調整した。ここに、上記「（１）尿臭を有する衣料の調製」で得られた試験布５枚（計２５ｇ）を入れ（浴比２５Ｌ／ｋｇ）、ステンレスビーカー内の処理液と試験布を、ターゴトメーターで１２０ｒ／ｍｉｎの撹拌条件下で１２分間撹拌した。次に処理液を排出し、試験前の試験布の重量の１．５倍程度の重量になるまで、処理液を含む試験布から処理液を手で絞って除去した。
得られた試験布（１）を用いて、下記の尿臭の評価（１）を行った。
評価終了後の試験布（１）を５００ｍＬ容量のステンレスビーカーに入れ、すすぎ液として新しい水（ドイツ硬度で４°ＤＨ、２０℃）を５００ｍＬ入れた。ターゴトメーターで１２０ｒ／ｍｉｎで６分間すすいだ後、２槽式洗濯機の脱水槽で、試験前の試験布の重量の１．５倍の重量になるまで、試験布からすすぎ液を除去した。得られた試験布を２５℃、５０％ＲＨの環境下で１２時間放置し乾燥させ、試験布（２）を得た。
上記と同様にして、（ｄ）環状カルボニル化合物を含まない組成物（比較例１、２）を調製し、実施例１、２と同様にして、比較試験布（１）及び比較試験布（２）を得た。
【００５２】
（３）尿臭の官能評価
比較試験布（１）から臭う尿臭を含む臭いの強さを０とし、試験布（１）から臭う尿臭を含む臭いの強さを以下のように評価した。また同様に、比較試験布（２）から臭う尿臭を含む臭いの強さを０とし、試験布（２）から臭う尿臭を含む臭いの強さを評価した。
評価は、尿臭の臭い評価に熟練した臭い評価パネラー５名が、試験布（１）又は（２）から臭う尿臭を含む臭いの強さが、比較試験布（１）又は（２）から臭う尿臭を含む臭いの強さよりも弱い場合は＋１と評価し、比較試験布（１）又は（２）から臭う尿臭を含む臭いの強さと同程度であり差がない場合は０と評価し、５人の平均値を評価結果とした。０．２以上が合格であり、数値が高い程、尿臭の性能評価に優れることを示す。
【００５３】
【表１】
2015224273.tif 000008
【００５４】
表１から、実施例１〜２の臭気抑制剤組成物は、比較例１〜２の臭気抑制剤組成物に比べて、尿臭を含む臭気を抑制する効果に優れていることが分かる。
【００５５】
＜配合例１〜１０＞
本発明の尿臭を含む臭いの臭気抑制効果が期待できる配合例を示す。
【００５６】
【表２】
2015224273.tif 000009
【００５７】
（ａ）成分：非イオン界面活性剤
（ａ−１）〜（ａ−３）：表１で用いたものと同じ。
【００５８】
（ｂ）成分：アニオン界面活性剤
（ｂ１−１）：表１で用いたものと同じ。
（ｂ２−１）：一般式（２）において、Ｒ3が炭素数１２の直鎖１級アルキル基／炭素数１４の直鎖１級アルキル基＝８／２の質量比である混合アルキル基であり、Ａ2Ｏがエチレンオキシ基、Ｍがモノエタノールアンモニウムであり、ｎ２が２．０の化合物である。
（ｂ２−２）：一般式（２）において、Ｒ3が炭素数１２の直鎖１級アルキル基／炭素数１４の直鎖１級アルキル基＝８／２の質量比である混合アルキル基であり、Ａ2Ｏが、プロパン−１，２−ジイルオキシ基が平均で２．５モル付加した後に、エチレンオキシ基が平均で１．５モル付加した基であり、Ｍがモノエタノールアンモニウムの化合物である。
（ｂ２−３）：一般式（２）において、Ｒ3が炭素数１２の直鎖１級アルキル基／炭素数１４の直鎖１級アルキル基＝８／２の質量比である混合アルキル基であり、ｎ２が０であり、Ｍがナトリウムイオンの化合物である。
（ｂ３−４）：前記一般式（３）において、Ｒ4が炭素数１５の直鎖１級アルキル基／炭素数１７の直鎖１級アルキル基＝８／２の質量比である混合アルキル基である化合物
【００５９】
（ｃ）成分：脂肪酸又はその塩
（ｃ−２）：ラウリン酸４０質量％、ミリスチン酸２０質量％、パルミチン酸３０質量％、ステアリン酸８質量％、オレイン酸２質量％の組成を有する混合脂肪酸
【００６０】
（ｄ）成分：環状カルボニル化合物
（ｄ１−１）：８−シクロヘキサデセン−１−オン
（ｄ１−２）：９−シクロヘプタデセン−１−オン
（ｄ２−１）：７−シクロヘキサデセノリド
（ｄ３−１）：１０−オキサ−１６−ヘキサデカノリド
（ｅ）成分：酵素
（ｅ−１）〜（ｅ−３）：表１で用いたものと同じ。
（ｆ）〜（ｇ）成分：表１で用いたものと同じ。
【００６１】
＜配合例１１〜１２、比較配合例１１〜１２＞
配合例１１の組成物は実施例１の組成物と同じであり、配合例１２の組成物は実施例２の組成物と同じである。比較配合例１１の組成物は比較例１の組成物と同じであり、比較配合例１２の組成物は比較例２の組成物と同じである。
上記の配合例１１〜１２、比較例配合例１１〜１２を用いて、以下の方法により評価した。結果を表３に示す。
【００６２】
（４）尿臭と皮脂臭を有する衣料の調製方法
一辺が１０ｃｍの正方形に裁断した、綿メリヤス布（５ｇ／１枚あたり、木綿２００３、谷頭商店製）１枚の中心部に、モデル皮脂人工汚染液（組成：ラウリン酸０．４質量％、ミリスチン酸３．１質量％、ペンタデカン酸２．３質量％、パルミチン酸６．２質量％、ヘプタデカン酸０．４質量％、ステアリン酸１．６質量％、オレイン酸７．８質量％、トリオレイン１３．０質量％、パルミチン酸ｎ-ヘキサデシル２．２質量％、スクアレン６．５質量％、卵白レシチン液晶物１．９質量％、鹿沼赤土８．１質量％、カーボンブラック０．０１質量％、水残部、合計１００質量％）０．５ｇを、グラビアロールコーターを用いて、グラビアロールのセル容量５８ｃｍ3／ｍ2、塗布速度１．０ｍ／ｍｉｎ、乾燥温度１００℃、乾燥時間１ｍｉｎの条件で、直径が３０ｍｍの円状に塗布し、モデル皮脂人工汚染布を調製した。同様にして合計５枚の汚染布を調製し、２５℃、５０％ＲＨ環境下で１２時間放置し乾燥させた。
【００６３】
（５）衣料の衣料用臭気抑制剤組成物による処理
表３の配合例１１又は１２、比較配合例１１又は１２に記載の衣料用臭気抑制剤組成物とドイツ硬度で４°ＤＨの水を混合して処理液を調製した。この処理液を用いて、前記の「（２）衣料用臭気抑制剤組成物による処理」と同様にして、試験布（３）、（４）と、比較試験布（３）、（４）を得た。
【００６４】
（６）尿臭と皮脂臭を含む臭いの官能評価
比較試験布（３）から臭う尿臭と皮脂臭を含む臭いの強さを０とし、試験布（３）から臭う尿臭と皮脂臭を含む臭いの強さを以下のように評価した。また同様に、比較試験布（４）から臭う尿臭と皮脂臭を含む臭いの強さを０とし、試験布（４）から臭う尿臭と皮脂臭を含む臭いの強さを評価した。
評価は、尿臭と皮脂臭の臭い評価に熟練した臭い評価パネラー５名が、試験布（３）又は（４）から臭う尿臭と皮脂臭を含む臭いの強さが、比較試験布（３）又は（４）から臭う尿臭と皮脂臭を含む臭いの強さよりも弱い場合は＋１と評価し、比較試験布（３）又は（４）から臭う尿臭と皮脂臭を含む臭いの強さと同程度であり差がない場合は０と評価し、５人の平均値を評価結果とした。０．２以上が合格であり、数値が高い程、尿臭の性能評価に優れることを示す。
【００６５】
【表３】
2015224273.tif 000010
【００６６】
表３から、配合例１１〜１２の臭気抑制剤組成物は、比較配合例１１〜１２の臭気抑制剤組成物に比べて、尿臭と皮脂臭を含む臭いを抑制する効果に優れていることが分かる。